(57)【要約】  本願は、信号伝送方法及び端末デバイスを開示し、当該方法は、端末デバイスが複数の上り信号の有効送信電力を確定することと、前記端末デバイスが前記複数の上り信号の有効送信電力に基づいて、同じ周波数領域リソースセットにおいて前記複数の上り信号を同時に送信することとを含む。このように、端末デバイスは、同一の周波数領域リソースセットにおいて同時に送信される複数の上り信号について、それぞれの有効送信電力を決定することによって、当該複数の上り信号の有効送信電力に基づいて、同一の周波数領域リソースセットにおいて当該複数の上り信号を同時に送信することを実現することができる。
2020534713.tif 000002
【特許請求の範囲】
【請求項１】
端末デバイスが複数の上り信号の有効送信電力を確定することと、
前記端末デバイスが前記複数の上り信号の有効送信電力に基づいて、同じ周波数領域リソースセットにおいて前記複数の上り信号を同時に送信することとを含む
ことを特徴とする信号伝送方法。
【請求項２】
前記複数の上り信号は、上りデータ又は上り参照信号を含む
ことを特徴とする請求項１に記載の信号伝送方法。
【請求項３】
前記複数の上り信号は、同じ下り制御情報ＤＣＩによりスケジューリングされた上り信号、又は異なるＤＣＩによりそれぞれスケジューリングされた上り信号である
ことを特徴とする請求項１又は２に記載の信号伝送方法。
【請求項４】
前記同じ周波数領域リソースセットは、
同じキャリア、同じ狭い帯域幅、同じサブバンド、又は同じ物理リソースブロックＰＲＢセットを含む
ことを特徴とする請求項１〜３のいずれか１項に記載の信号伝送方法。
【請求項５】
前記端末デバイスが複数の上り信号の有効送信電力を確定することは、
前記端末デバイスが前記複数の上り信号の信号数に基づいて、前記複数の上り信号の有効送信電力を確定することを含む
ことを特徴とする請求項１〜４のいずれか１項に記載の信号伝送方法。
【請求項６】
前記端末デバイスが前記複数の上り信号の信号数に基づいて、前記複数の上り信号の有効送信電力を確定することは、
前記端末デバイスが前記複数の上り信号の信号数に基づいて、前記複数の上り信号の各上り信号の最大許容送信電力を確定することと、
前記端末デバイスが前記各上り信号の最大許容送信電力に基づいて、前記各上り信号の有効送信電力を確定することとを含む
ことを特徴とする請求項５に記載の信号伝送方法。
【請求項７】
前記端末デバイスが前記複数の上り信号の信号数に基づいて、前記複数の上り信号の有効送信電力を確定することは、
前記端末デバイスが前記信号数に対応する比率に基づいて、前記複数の上り信号の各上り信号の予想送信電力を低減させ、低減させた前記各上り信号の予想送信電力を前記各上り信号の有効送信電力として確定することを含む
ことを特徴とする請求項５に記載の信号伝送方法。
【請求項８】
前記端末デバイスが複数の上り信号の有効送信電力を確定することは、
前記端末デバイスが前記複数の上り信号の優先度情報に基づいて、前記複数の上り信号の有効送信電力を確定することを含む
ことを特徴とする請求項１〜４のいずれか１項に記載の信号伝送方法。
【請求項９】
前記端末デバイスが前記複数の上り信号の優先度情報に基づいて、前記複数の送信功率を確定する前に、前記方法は、さらに、
前記端末デバイスが前記複数の上り信号の信号タイプ、前記複数の上り信号をスケジューリングするための制御シグナリング、前記複数の上り信号に含まれる情報のタイプ、及び前記複数の上り信号のスケジューリングの順番のうちの少なくとも１つに基づいて、前記複数の上り信号の優先度情報を確定することを含む
ことを特徴とする請求項８に記載の信号伝送方法。
【請求項１０】
前記端末デバイスが前記複数の上り信号をスケジューリングするための制御シグナリングに基づいて、前記複数の上り信号の優先度情報を確定することは、
前記端末デバイスが前記複数の上り信号をスケジューリングするための複数のＤＣＩを受信し、前記複数のＤＣＩに前記複数の上り信号の優先度情報が含まれること、又は、
前記端末デバイスが前記複数のＤＣＩを受信し、前記複数のＤＣＩに含まれる変調符号化方式ＭＣＳの情報に基づいて、前記複数の上り信号の優先度情報を確定することを含む
ことを特徴とする請求項９に記載の信号伝送方法。
【請求項１１】
前記端末デバイスが前記複数の上り信号の優先度情報に基づいて、前記複数の上り信号の有効送信電力を確定することは、
前記端末デバイスが前記複数の上り信号のためにそれぞれの最小送信電力を割り当てることと、
前記端末デバイスが、サポートする最大送信電力から前記複数の上り信号の最小送信電力を減算した余剰送信電力を、前記複数の上り信号の優先度情報に従って、前記複数の上り信号の少なくとも一部の上り信号に割り当てることとを含む
ことを特徴とする請求項８〜１０のいずれか１項に記載の信号伝送方法。
【請求項１２】
前記複数の上り信号の優先度情報は、前記ネットワークデバイスが前記複数の上り信号のために予め構成される
ことを特徴とする請求項８〜１１のいずれか１項に記載の信号伝送方法。
【請求項１３】
前記端末デバイスが複数の上り信号の有効送信電力を確定することは、
前記複数の上り信号の予想送信電力の和が前記端末デバイスのサポートする最大送信電力を超える場合、前記端末デバイスが前記最大送信電力と前記複数の上り信号の予想送信電力の和との比率に基づいて、前記複数の上り信号の各上り信号的予想送信電力を低減させ、低減された前記各上り信号の予想送信電力を前記各上り信号の有効送信電力として確定することを含む
ことを特徴とする請求項１〜４のいずれか１項に記載の信号伝送方法。
【請求項１４】
前記端末デバイスが複数の上り信号の有効送信電力を確定することは、
前記端末デバイスがネットワークにより送信された指示情報を受信することと、
前記端末デバイスが前記複数の上り信号に対応する電力制御パラメータに基づいて、前記複数の上り信号の有効送信電力を確定することとを含み、
前記指示情報は、前記複数の上り信号に対応する電力制御パラメータを示す
ことを特徴とする請求項１〜４のいずれか１項に記載の信号伝送方法。
【請求項１５】
前記端末デバイスが前記複数の上り信号の有効送信電力に基づいて、同じ周波数領域リソースセットにおいて前記複数の上り信号を同時に送信することは、
前記端末デバイスが前記複数の上り信号の有効送信電力に基づいて、前記同じ周波数領域リソースセット内の異なる周波数領域リソースにおいて、前記複数の上り信号を同時に送信することを含む
ことを特徴とする請求項１〜１４のいずれか１項に記載の信号伝送方法。
【請求項１６】
前記端末デバイスが前記複数の上り信号の有効送信電力に基づいて、同じ周波数領域リソースセットにおいて前記複数の上り信号を同時に送信することは、
前記端末デバイスが前記複数の上り信号の有効送信電力に基づいて、前記同じ周波数領域リソースセットにおいて、異なるアンテナアレイブロックで前記複数の上り信号を同時に送信することを含む
ことを特徴とする請求項１〜１５のいずれか１項に記載の信号伝送方法。
【請求項１７】
前記端末デバイスが前記複数の上り信号の有効送信電力に基づいて、同じ周波数領域リソースセットにおいて前記複数の上り信号を同時に送信することは、
前記端末デバイスが前記複数の上り信号の有効送信電力に基づいて、前記同じ周波数領域リソースセットにおいて、異なるビームで前記複数の上り信号を同時に送信することを含む
ことを特徴とする請求項１〜１５のいずれか１項に記載の信号伝送方法。
【請求項１８】
複数の上り信号の有効送信電力を確定するように構成される確定ユニットと、
前記確定ユニットにより確定された前記複数の上り信号の有効送信電力に基づいて、同じ周波数領域リソースセットにおいて前記複数の上り信号を同時に送信するように構成される送信ユニットとを含む
ことを特徴とする端末デバイス。
【請求項１９】
前記複数の上り信号は、上りデータ又は上り参照信号を含む
ことを特徴とする請求項１８に記載の端末デバイス。
【請求項２０】
前記複数の上り信号は、同じ下り制御情報ＤＣＩによりスケジューリングされた上り信号、又は異なるＤＣＩによりそれぞれスケジューリングされた上り信号である
ことを特徴とする請求項１８又は１９に記載の端末デバイス。
【請求項２１】
前記同じ周波数領域リソースセットは、
同じキャリア、同じ狭い帯域幅、同じサブバンド、又は同じ物理リソースブロックＰＲＢセットを含む
ことを特徴とする請求項１８〜２０のいずれか１項に記載の端末デバイス。
【請求項２２】
前記確定ユニットは、
前記複数の上り信号の信号数に基づいて、前記複数の上り信号の有効送信電力を確定するように構成される
ことを特徴とする請求項１８〜２１のいずれか１項に記載の端末デバイス。
【請求項２３】
前記確定ユニットは、
前記複数の上り信号の信号数に基づいて、前記複数の上り信号の各上り信号の最大許容送信電力を確定し、
前記各上り信号の最大許容送信電力に基づいて、前記各上り信号の有効送信電力を確定するように構成される
ことを特徴とする請求項２２に記載の端末デバイス。
【請求項２４】
前記確定ユニットは、
前記信号数に対応する比率に基づいて、前記複数の上り信号の各上り信号の予想送信電力を低減させ、低減させた前記各上り信号の予想送信電力を前記各上り信号の有効送信電力として確定するように構成される
ことを特徴とする請求項２２に記載の端末デバイス。
【請求項２５】
前記確定ユニットは、
前記複数の上り信号の優先度情報に基づいて、前記複数の上り信号の有効送信電力を確定するように構成される
ことを特徴とする請求項１８〜２１のいずれか１項に記載の端末デバイス。
【請求項２６】
前記確定ユニットは、さらに、
前記複数の上り信号の信号タイプ、前記複数の上り信号をスケジューリングするための制御シグナリング、前記複数の上り信号に含まれる情報のタイプ、及び前記複数の上り信号のスケジューリングの順番のうちの少なくとも１つに基づいて、前記複数の上り信号の優先度情報を確定するように構成される
ことを特徴とする請求項２５に記載の端末デバイス。
【請求項２７】
前記端末デバイスは、さらに、受信ユニットを含み、前記確定ユニットは、
前記受信ユニットで前記複数の上り信号をスケジューリングするための複数のＤＣＩを受信し、前記複数のＤＣＩに前記複数の上り信号の優先度情報が含まれ、又は、
前記受信ユニットで前記複数のＤＣＩを受信し、前記複数のＤＣＩに含まれる変調符号化方式ＭＣＳの情報に基づいて、前記複数の上り信号の優先度情報を確定するように構成される
ことを特徴とする請求項２６に記載の端末デバイス。
【請求項２８】
前記確定ユニットは、
前記複数の上り信号のためにそれぞれの最小送信電力を割り当て、
サポートする最大送信電力から前記複数の上り信号の最小送信電力を減算した余剰送信電力を、前記複数の上り信号の優先度情報に応じて、前記複数の上り信号の少なくとも一部の上り信号に割り当てるように構成される
ことを特徴とする請求項２５〜２７のいずれか１項に記載の端末デバイス。
【請求項２９】
前記複数の上り信号の優先度情報は、前記ネットワークが前記複数の上り信号のために予め構成される
ことを特徴とする請求項２５〜２８のいずれか１項に記載の端末デバイス。
【請求項３０】
前記確定ユニットは、
前記複数の上り信号の予想送信電力の和が前記端末デバイスのサポートする最大送信電力を超える場合、前記最大送信電力と前記複数の上り信号の予想送信電力の和との比率に基づいて、前記複数の上り信号の各上り信号の予想送信電力を低減させ、低減させた前記各上り信号の予想送信電力を前記各上り信号の有効送信電力として確定するように構成される
ことを特徴とする請求項１８〜２１のいずれか１項に記載の端末デバイス。
【請求項３１】
前記端末デバイスは、さらに、受信ユニットを含み、前記確定ユニットは、
前記受信ユニットでネットワークにより送信された指示情報を受信し、
前記複数の上り信号に対応する電力制御パラメータに基づいて、前記複数の上り信号の有効送信電力を確定するように構成され、
前記指示情報は、前記複数の上り信号に対応する電力制御パラメータを示す
ことを特徴とする請求項１８〜２１のいずれか１項に記載の端末デバイス。
【請求項３２】
前記送信ユニットは、
前記複数の上り信号の有効送信電力に基づいて、前記同じ周波数領域リソースセットの異なる周波数領域リソースにおいて、前記複数の上り信号を同時に送信するように構成される
ことを特徴とする請求項１８〜３１のいずれか１項に記載の端末デバイス。
【請求項３３】
前記送信ユニットは、
前記複数の上り信号の有効送信電力に基づいて、前記同じ周波数領域リソースセットにおいて、異なるアンテナアレイブロックで前記複数の上り信号を同時に送信するように構成される
ことを特徴とする請求項１８〜３２のいずれか１項に記載の端末デバイス。
【請求項３４】
前記送信ユニットは、
前記複数の上り信号の有効送信電力に基づいて、前記同じ周波数領域リソースセットにおいて、異なるビームで前記複数の上り信号を同時に送信するように構成される
ことを特徴とする請求項１８〜３２のいずれか１項に記載の端末デバイス。
【発明の詳細な説明】
【技術分野】
【０００１】
本願の実施例は、無線通信分野に関し、具体的に、信号伝送方法及び端末デバイスに関する。
【背景技術】
【０００２】
５Ｇの新しい無線（Ｎｅｗ Ｒａｄｉｏ、ＮＲ）システムでは、端末デバイスのアンテナアレイに複数のアンテナアレイブロック（アンテナパネル）を含めることができ、これらの複数のアンテナアレイブロックを使用して上り信号を同時に送信できる。ここで、１つのアンテナアレイブロックに複数のアンテナユニットを含めることができ、異なるアンテナアレイブロックは異なる無線周波数チャネルを使用する。端末デバイスが同じキャリアで複数のアンテナアレイブロックで同時にデータを伝送するようにスケジュールされている時、端末デバイスの送信電力が制限されている場合、端末デバイスが複数のアンテナアレイブロックでデータを伝送する方法は、解決すべき問題になる。
【発明の概要】
【０００３】
本願の実施例は、送信電力が制限されている場合でも、端末デバイスが同じ周波数領域セットで複数の上り信号を同時に送信することができる信号伝送方法および端末デバイスを提供する。
【０００４】
第１の態様は、信号伝送方法を提供し、端末デバイスが複数の上り信号の有効送信電力を確定することと、前記端末デバイスが前記複数の上り信号の有効送信電力に基づいて、同じ周波数領域リソースセットにおいて前記複数の上り信号を同時に送信することとを含む。
【０００５】
したがって、端末デバイスは、特定の電力割り当て方式に従って、同じ周波数領域リソースセットで同時に送信される複数の上り信号のそれぞれの有効送信電力を決定し、さらに、複数の上り信号の有効送信電力に基づいて、同じ周波数領域リソースセットにおいて当該複数の上り信号を同時に送信する。このように、端末デバイスの送信電力が制限されている場合でも、端末デバイスは、本願の実施例で説明された電力割り当て方式を使用することにより、送信される複数の上り信号のそれぞれの有効送信電力を依然として再決定することにより、同じ周波数領域セット内において複数の上り信号は同時に送信される。
【０００６】
実現可能な方式において、前記複数の上り信号は、上りデータ又は上り参照信号を含む。
【０００７】
実現可能な方式において、前記複数の上り信号は、同じ下り制御情報ＤＣＩによりスケジューリングされた上り信号、又は異なるＤＣＩによりそれぞれスケジューリングされた上り信号である。
【０００８】
実現可能な方式において、前記同じ周波数領域リソースセットは、同じキャリア、同じ狭い帯域幅、同じサブバンド、又は同じ物理リソースブロックＰＲＢセットを含む。
【０００９】
実現可能な方式において、前記端末デバイスが複数の上り信号の有効送信電力を確定することは、前記端末デバイスが前記複数の上り信号の信号数に基づいて、前記複数の上り信号の有効送信電力を確定することを含む。
【００１０】
実現可能な方式において、前記端末デバイスが前記複数の上り信号の信号数に基づいて、前記複数の上り信号の有効送信電力を確定することは、前記端末デバイスが前記複数の上り信号の信号数に基づいて、前記複数の上り信号の各上り信号の最大許容送信電力を確定することと、前記端末デバイスが前記各上り信号の最大許容送信電力に基づいて、前記各上り信号の有効送信電力を確定することとを含む。
【００１１】
例えば、送信されるべき複数の上り信号の信号数がＮであり、端末デバイスによってサポートされる最大送信電力がＰｍａｘであると仮定すると、端末デバイスは、サポートされる最大送信電力Ｐｍａｘ及び信号数Ｎに基づいて、それぞれの上り信号の最大許容送信電力はＰｍａｘ／Ｎであると決定する。その後、端末デバイスは、従来の上り電力制御プロセスを使用して、各上り信号の最大許容送信電力に基づいて各上り信号の有効送信電力を決定できる。
【００１２】
実現可能な方式において、前記端末デバイスが前記複数の上り信号の信号数に基づいて、前記複数の上り信号の有効送信電力を確定することは、前記端末デバイスが前記信号数に対応する比率に基づいて、前記複数の上り信号の各上り信号の予想送信電力を低減させ、低減させた前記各上り信号の予想送信電力を前記各上り信号の有効送信電力として確定することを含む。
【００１３】
例えば、該複数の上り信号の各々の予想送信電力をＰｉ(０＜ｉ≦Ｎ)とし、Ｎは該複数の上り信号の信号数であり、各Ｎの値は１つの比率に対応し、数Ｎに対応する比率が１／Ｎであるとすると、上り信号の各々の有効送信電力はＰｉ／Ｎに低減され得る。この予想送信電力の低減処理は、例えば、端末デバイスの消費電力の低減が必要な場合に用いられてもよいし、複数の上り信号の予想送信電力の和が端末デバイスがサポートする最大送信電力を超える場合にのみ用いられてもよい。
【００１４】
実現可能な方式において、前記端末デバイスが複数の上り信号の有効送信電力を確定することは、前記端末デバイスが前記複数の上り信号の優先度情報に基づいて、前記複数の上り信号の有効送信電力を確定することを含む。
【００１５】
実現可能な方式において、前記端末デバイスが前記複数の上り信号の優先度情報に基づいて、前記複数の送信功率を確定する前に、前記方法は、さらに、前記端末デバイスが前記複数の上り信号の信号タイプ、前記複数の上り信号をスケジューリングするための制御シグナリング、前記複数の上り信号に含まれる情報のタイプ、及び前記複数の上り信号のスケジューリングの順番のうちの少なくとも１つに基づいて、前記複数の上り信号の優先度情報を確定することを含む。
【００１６】
実現可能な方式において、前記端末デバイスが前記複数の上り信号をスケジューリングするための制御シグナリングに基づいて、前記複数の上り信号の優先度情報を確定することは、前記端末デバイスが前記複数の上り信号をスケジューリングするための複数のＤＣＩを受信し、前記複数のＤＣＩに前記複数の上り信号の優先度情報が含まれること、又は、前記端末デバイスが前記複数のＤＣＩを受信し、前記複数のＤＣＩに含まれる変調符号化方式ＭＣＳの情報に基づいて、前記複数の上り信号の優先度情報を確定することを含む。
【００１７】
実現可能な方式において、前記端末デバイスが前記複数の上り信号の優先度情報に基づいて、前記複数の上り信号の有効送信電力を確定することは、前記端末デバイスが前記複数の上り信号のためにそれぞれの最小送信電力を割り当てることと、前記端末デバイスが、サポートする最大送信電力から前記複数の上り信号の最小送信電力を減算した余剰送信電力を、前記複数の上り信号の優先度情報に従って、前記複数の上り信号の少なくとも一部の上り信号に割り当てることとを含む。
【００１８】
例えば、送信すべき複数の上り信号の信号数をＮとし、各上り信号の最小送信電力をＰｍｉｎとし、Ｎ個の上り信号のうちｉ番目の上り信号の最大送信電力をＰｉ−ｍａｘとし、端末デバイスがサポートする最大送信電力をＰｍａｘとした場合、余剰送信電力Ｐｒ = Ｐｍａｘ-Ｎ×Ｐｍｉｎである。端末デバイスは、まず、上り信号毎にそれぞれ最小送信電力Ｐｍｉｎを割り当て、その後、端末デバイスは、余剰送信電力Ｐｒを、上り信号の優先順位に従って順に割り当て、このＮを３とし、複数の上り信号の信号数が３であり、信号１、信号２、信号３であり、残り電力がない場合には信号１、信号２、信号３のいずれもＰｍｉｎを割り当て、その後、端末デバイスは、これら３つの信号の優先度情報を前述のように取得し、優先順位を高い方から順に信号１＞信号２＞信号３とすると、端末デバイスは、最も優先順位の高い信号１に、例えば、Ｐｍｉｎから最大送信電力Ｐ１−ｍａｘに達するまでの送信電力を、余剰送信電力Ｐｒとして優先的に最も高い優先度の信号１に割り当て、このとき、余剰送信電力Ｐｒが残っていれば、引き続き信号２に送信電力を割り当て、信号２の送信電力がＰｍｉｎからその最大送信電力Ｐ２−ｍａｘに達した後も、まだ残っていれば、引き続き信号３に送信電力を割り当てる。余剰送信電力が割り当て途中で割り当て済み、割り当て継続が不十分であれば、動作を停止する。もちろん、最終的に送信電力に割り当てられる信号の有効送信電力は、必ずしもその最大送信電力に達しない。
【００１９】
実現可能な方式において、前記複数の上り信号の優先度情報は、前記ネットワークが前記複数の上り信号のために予め構成される。
【００２０】
実現可能な方式において、前記端末デバイスが複数の上り信号の有効送信電力を確定することは、前記複数の上り信号の予想送信電力の和が前記端末デバイスのサポートする最大送信電力を超える場合、前記端末デバイスが前記最大送信電力と前記複数の上り信号の予想送信電力の和との比率に基づいて、前記複数の上り信号の各上り信号的予想送信電力を低減させ、低減された前記各上り信号の予想送信電力を前記各上り信号の有効送信電力として確定することを含む。
【００２１】
例えば、端末デバイスがサポートする最大送信電力をＰｍａｘ、送信する複数の上り信号の信号数をＮとすると、従来の上り電力制御手順では、Ｎ個の上り信号のうちｉ番目の上り信号の予想送信電力をＰｉとした場合、複数の上り信号の予想送信電力の和が
【数１】
2020534713.tif 000003
【００２２】
であり、端末デバイスは、ｉ番目の上り信号の有効送信電力をＰｉ×( Ｐｍａｘ ／ Ｐa )に低減される。
【００２３】
実現可能な方式において、前記端末デバイスが複数の上り信号の有効送信電力を確定することは、前記端末デバイスがネットワークにより送信された指示情報を受信することと、前記端末デバイスが前記複数の上り信号に対応する電力制御パラメータに基づいて、前記複数の上り信号の有効送信電力を確定することとを含み、前記指示情報は、前記複数の上り信号に対応する電力制御パラメータを示す。
【００２４】
実現可能な方式において、前記端末デバイスが前記複数の上り信号の有効送信電力に基づいて、同じ周波数領域リソースセットにおいて前記複数の上り信号を同時に送信することは、前記端末デバイスが前記複数の上り信号の有効送信電力に基づいて、前記同じ周波数領域リソースセット内の異なる周波数領域リソースにおいて、前記複数の上り信号を同時に送信することを含む。
【００２５】
実現可能な方式において、前記端末デバイスが前記複数の上り信号の有効送信電力に基づいて、同じ周波数領域リソースセットにおいて前記複数の上り信号を同時に送信することは、前記端末デバイスが前記複数の上り信号の有効送信電力に基づいて、前記同じ周波数領域リソースセットにおいて、異なるアンテナアレイブロックで前記複数の上り信号を同時に送信することを含む。
【００２６】
実現可能な方式において、前記端末デバイスが前記複数の上り信号の有効送信電力に基づいて、同じ周波数領域リソースセットにおいて前記複数の上り信号を同時に送信することは、前記端末デバイスが前記複数の上り信号の有効送信電力に基づいて、前記同じ周波数領域リソースセットにおいて、異なるビームで前記複数の上り信号を同時に送信することを含む。
【００２７】
第２の態様は、上記第１の態様又は第１の態様の任意の代替的な実装態様における端末デバイスの動作を実行することができる端末デバイスを提供する。具体的には、端末デバイスは、上記の第１の態様又は第１の態様の任意の可能な実装形態における端末デバイスの動作を実行するためのモジュールユニットを含み得る。
【００２８】
第３の態様は、プロセッサと、送受信機と、メモリとを有する端末デバイスを提供する。プロセッサ、送受信機、およびメモリは、内部接続経路を介して互いに通信する。メモリは、命令を記憶するために使用され、プロセッサは、メモリに記憶された命令を実行するために使用される。プロセッサがメモリに記憶された命令を実行すると、端末デバイスに、第１の態様または第１の態様の任意の可能な実装形態における方法を実行させるか、または、端末デバイスに、第３の態様で提供される端末デバイスを実装させる。
【００２９】
第４の態様は、上記第１の態様及びその様々な実施態様のいずれかの信号伝送方法を端末デバイスに実行させるプログラムを記憶したコンピュータ可読記憶媒体を提供する。
【００３０】
第５の態様は、入力インターフェースと、出力インターフェースと、プロセッサと、メモリとを含み、プロセッサは、メモリに記憶された命令を実行し、命令が実行されると、プロセッサは、第１の態様または第１の態様の任意の可能な実装形態における方法を実装し得る、システムチップを提供する。
【００３１】
第６の態様は、命令を含むコンピュータプログラム製品を提供し、コンピュータプログラム製品がコンピュータ上で実行されると、コンピュータに、第１の態様または第１の態様の任意の可能な実装形態における方法を実行させる。
【図面の簡単な説明】
【００３２】
【図１】本願の実施例におけるシーンの模式図である。
【図２】本願の実施例における信号伝送方法のフローチャートである。
【図３】本願の実施例における端末デバイスのブロック図である。
【図４】本願の実施例における端末デバイスの構成図である。
【図５】本願の実施例におけるシステムチップの構成図である。
【発明を実施するための形態】
【００３３】
以下は、本願の適用例における技術的解決策の明確かつ完全な説明である。
【００３４】
本願の実施例の技術的解決策は、移動通信システムのグローバルシステム（ＧＳＭ）システム、シンボル分割多元接続（ＣＤＭＡ）システム、広帯域シンボル分割多元接続（ＷＣＤＭＡ）システム、一般パケット無線サービス（ＧＰＲＳ）、ロングタームエボリューション（ＬＴＥ）システム、ＬＴＥ周波数分割二重（ＦＤＤ）システム、ＬＴＥ時分割複信（ＴＤＤ）、ユニバーサルモバイルテレコミュニケーションシステム（ＵＭＴＳ）、または将来の５Ｇシステムに適用できることを理解されたい。
【００３５】
本願の実施例における端末デバイスは、ユーザ機器（ＵＥ）、アクセス端末、加入者ユニット、加入者局、移動局、移動局、遠隔局、遠隔端末、モバイルデバイス、ユーザ端末、端末、無線デバイス、 通信デバイス、ユーザーエージェント、またはユーザーデバイス。アクセス端末は、携帯電話、コードレス電話、セッション開始プロトコル（ＳＩＰ）電話、無線ローカルループ（ＷＬＬ）ステーション、携帯情報端末（ＰＤＡ）、無線通信を備える端末、ワイヤレスモデム、車載デバイス、ウェアラブルデバイス、将来の５Ｇネットワークの端末デバイス、またはＰｕｂｌｉｃ Ｌａｎｄ Ｍｏｂｉｌｅ Ｎｅｔｗｏｒｋ（ＰＬＭＮ）の将来のデバイスであってもよい。
【００３６】
本願の実施例におけるネットワークデバイスは、端末デバイスと通信するためのデバイスであっても良く、ＧＳＭまたはＣＤＭＡにおける基地送受信機局（ＢＴＳ）であっても良く、またはＷＣＤＭＡシステムにおける基地局（ＮｏｄｅＢ、ＮＢ）、ＬＴＥシステムの進化した基地局（ｅＮＢまたはｅＮｏｄｅＢ）、クラウド無線アクセスネットワーク（ＣＲＡＮ）シナリオのワイヤレスコントローラー、中継局、アクセスポイント、車載デバイス、ウェアラブルデバイス、および将来の５Ｇネットワークのネットワークデバイス、または将来の進化したＰＬＭＮネットワークのネットワークデバイスであっても良い。
【００３７】
図１は、本願の実施例の適用シーンの模式図である。図１の通信システムは、端末デバイス２０およびネットワークデバイス１０を含み得る。ネットワークデバイス１０は、端末デバイス２０に通信サービスを提供し、コアネットワークにアクセスするように構成されている。端末デバイス２０は、ネットワークデバイス１０が送信する同期信号、ブロードキャスト信号などを検索してネットワークにアクセスし、ネットワークと通信する。図１に示される矢印は、端末デバイス２０とネットワークデバイス１０との間のセルラーリンクを介したアップリンク／ダウンリンクを表してもよい。
【００３８】
本願の実施例におけるネットワークは、公衆陸上移動ネットワーク（ＰＬＭＮ）またはデバイスツーデバイス（Ｄ２Ｄ）ネットワークまたはマシンツーマシン（マシンツーマシン）、（Ｍａｃｈｉｎｅ ｔｏ Ｍａｃｈｉｎｅ／Ｍａｎ：Ｍ２Ｍ）ネットワークまたは他のネットワークであってもよく、図１が簡略化された概略図に過ぎず、ネットワークに図２に示されていない他の端末デバイスも含むことができる。
【００３９】
図２は、本発明の実施例による信号伝送方法の概略的なフローチャートである。図２に示される方法は、例えば、図１に示される端末デバイス２０であり得る端末デバイスによって実行され得る。図２に示すように、この信号伝送の方法は、２１０及び２２０を含む。
【００４０】
２１０において、端末デバイスが複数の上り信号の有効送信電力を確定する。
【００４１】
２２０において、端末デバイスが当該複数の上り信号の有効送信電力に基づいて、同じ周波数領域リソースセットにおいて当該複数の上り信号を同時に送信する。
【００４２】
具体的には、端末デバイスは、複数の上り信号の有効送信電力をそれぞれ決定し、送信電力を適切に割り当てることによって、複数の上り信号の有効送信電力に基づいて、同一の周波数領域リソースのセットにおいて複数の上り信号を同時に送信することができる。
【００４３】
端末デバイスは、上り信号を１つだけ送信する場合、例えば、上り信号に対する開ループ電力制御又は閉ループ電力制御を相関パラメータにより行い、その上り情報に対する送信電力を決定し、当該送信電力を本願では予想送信電力という。すなわち、既存の手段により、ある上り信号の予想送信電力を決定することができる。しかしながら、本願の実施例では、複数の上り信号を同時に送信するので、端末デバイスが同一周波数領域のリソースセットで複数の上り信号を同時に送信するようにスケジューリングされた場合、各上り信号の予想送信電力で同時に送信されると、端末デバイスの送信電力が制限されてしまう可能性があるため、端末デバイスは、複数の上り信号の有効送信電力に基づいて同一周波数領域のリソースセットで複数の上り信号を同時に送信するように、上り信号毎に各上り信号の有効送信電力を以下のように決定し直す。
【００４４】
任意選択で、当該複数の上り信号は、上りデータ又は上り参照信号を含む。
【００４５】
例えば、当該複数の上り信号は、複数の物理上り共有チャネル( Ｐｈｙｓｉｃａｌ Ｕｐｌｉｎｋ Ｓｈａｒｅｄ Ｃｈａｎｎｅｌ、ＰＵＳＣＨ )であってもよいし、１つのＰＵＳＣＨ内の異なる伝送レイヤであってもよいし、１つのＰＵＳＣＨ内の異なるコードワードであってもよい。あるいは、複数の上り信号は、複数のサウンディングリファレンスシグナル( Ｓｏｕｎｄｉｎｇ Ｒｅｆｅｒｅｎｃｅ Ｓｉｇｎａｌ、ＳＲＳ )であり得る。
【００４６】
任意選択で、該複数の上り信号は、同じ下り制御情報( Ｄｏｗｎｌｏａｄ Ｃｏｎｔｒｏｌ Ｉｎｆｏｒｍａｔｉｏｎ、ＤＣＩ )がスケジューリングされた上り信号、又は異なるＤＣＩが別々にスケジューリングされた上り信号であってもよい。
【００４７】
例えば、当該上り信号は、同一のＤＣＩによってスケジューリングされる複数のＰＵＳＣＨ、同一のＤＣＩによってトリガされる複数の非周期的なＳＲＳ、複数のＤＣＩによってそれぞれスケジューリングされる複数の独立したＰＵＳＣＨ、または複数のＤＣＩによってそれぞれトリガされる複数の独立した非周期的なＳＲＳである。
【００４８】
任意選択で、当該同じ周波数領域リソースセットは、同じキャリア、同じ狭い帯域幅、同じサブバンド、または同じ物理リソースブロック( Ｐｈｙｓｉｃａｌ Ｒｅｓｏｕｒｃｅ Ｂｌｏｃｋ、ＰＲＢ )セットを含む。
【００４９】
すなわち、１つの周波数領域リソースのセットは、キャリア（Ｃａｒｒｉｅｒ）、狭帯域幅( Ｂａｎｄｗｉｄｔｈ Ｐａｒｔ )、サブバンド( Ｓｕｂ−ｂａｎｄ )、またはＰＲＢのセットであり得る。
【００５０】
本発明の実施例では、複数の上り信号の有効送信電力を決定するための４つの方法が提供され、以下に具体的に説明する。
【００５１】
方式１
任意選択で、２１０において、端末デバイスが複数の上り信号の有効送信電力を確定することは、端末デバイスが当該複数の上り信号の信号数に基づいて、当該複数の上り信号の有効送信電力を確定することを含む。
【００５２】
また、端末デバイスは、具体的には、以下の２つの方法により、複数の上り信号の信号数に応じて、複数の上り信号の有効送信電力を決定することができる。１つは、前記複数の上り信号の信号数から前記複数の上り信号の各々の最大許容送信電力を直接決定し、該最大許容送信電力に基づいて前記上り信号の各々の有効送信電力を決定し、もう１つは、複数の上り信号の信号数に応じて比率を求め、その比率に応じて各上り信号の予想送信電力を低減させることにより、各上り信号の有効送信電力を求め、以下、具体的に説明する。
【００５３】
任意選択で、端末デバイスが当該複数の上り信号の信号数に基づいて、当該複数の上り信号の有効送信電力を確定することは、端末デバイスが当該複数の上り信号の信号数に基づいて、当該複数の上り信号の各上り信号の最大許容送信電力を確定し、端末デバイスが各上り信号の最大許容送信電力に基づいて、各上り信号の有効送信電力を確定することを含む。
【００５４】
例えば、送信されるべき複数の上り信号の信号数がＮであり、端末デバイスによってサポートされる最大送信電力がＰｍａｘであると仮定すると、端末デバイスは、サポートされる最大送信電力Ｐｍａｘ及び信号数Ｎに基づいて、それぞれの上り信号の最大許容送信電力はＰｍａｘ／Ｎであると決定する。その後、端末デバイスは、従来の上り電力制御プロセスを使用して、各上り信号の最大許容送信電力に基づいて各上り信号の有効送信電力を決定できる。
【００５５】
上り信号毎にそれぞれの最大許容送信電力を有し、最終的に該上り信号を送信するための有効送信電力が該上り信号に対応する最大許容送信電力を超えることがない。端末デバイスがサポートする最大送信電力は、上り信号の許容最大送信電力とは異なり、端末デバイスが１回の送信で供給可能な全送信電力である。
【００５６】
任意選択で、端末デバイスが当該複数の上り信号の信号数に基づいて、当該複数の上り信号の有効送信電力を確定することは、端末デバイスが当該信号数に対応する比率に基づいて、当該複数の上り信号の各上り信号の予想送信電力を低減させ、低減させた各上り信号の予想送信電力を各上り信号の有効送信電力として確定する。
【００５７】
例えば、該複数の上り信号の各々の予想送信電力をＰｉ(０＜ｉ≦Ｎ)とし、Ｎは該複数の上り信号の信号数であり、各Ｎの値は１つの割合に対応し、数Ｎに対応する割合が１／Ｎであるとすると、上り信号の各々の有効送信電力はＰｉ／Ｎに低減され得る。数Ｎに対する割合を１／２Ｎとすれば、各々の信号の有効送信電力はＰｉ／２Ｎに低減できる。この予想送信電力の低減処理は、例えば、端末デバイスの消費電力の低減が必要な場合に用いられてもよいし、複数の上り信号の予想送信電力の和が端末デバイスがサポートする最大送信電力を超える場合にのみ用いられてもよい。
【００５８】
方式２
任意選択で、２１０において、端末デバイスが複数の上り信号の有効送信電力を確定することは、端末デバイスが当該複数の上り信号の優先度情報に基づいて、当該複数の上り信号の有効送信電力を確定することを含む。
【００５９】
当該複数の上り信号の優先度情報は、例えば、ネットワークが当該複数の上り信号のために予め構成される。
【００６０】
ここで、任意選択で、端末デバイスが当該複数の上り信号の優先度情報に基づいて当該複数の送信電力を確定する前に、当該方法は、さらに、端末デバイスが
当該複数の上り信号の信号タイプ、当該複数の上り信号をスケジューリングするための制御シグナリング、当該複数の上り信号には含まれる情報のタイプ、及び当該複数の上り信号がスケジューリングの順番のうちの少なくとも１つに基づいて、当該複数の上り信号の優先度情報を確定することを含む。
【００６１】
例えば、端末デバイスが、当該複数の上り信号をスケジューリングするための制御シグナリングに従って、複数の上り信号の優先度情報を決定する場合、端末デバイスは、複数の上り信号をスケジューリングするための複数のＤＣＩを受信することによって、複数の上り信号の優先度情報を取得し、ここで、当該複数のＤＣＩは、複数の上り信号の優先度情報を搬送し、又は、端末デバイスは、該複数の上り信号をスケジューリングするための複数のＤＣＩを受信し、該複数のＤＣＩに含まれる変調符号化方式( Ｍｏｄｕｌａｔｉｏｎ Ｃｏｄｉｎｇ Ｍｏｄｅ、ＭＣＳ )の情報に基づいて、該複数の上り信号の優先度情報を決定してもよい。例えば、ネットワークデバイスは、１つ又は複数のＤＣＩにより、上り信号毎に独立してＭＣＳレベルを複数の上り信号に対して示し、ここで、ＭＣＳレベルが高い上り信号ほど優先度が高くてもよい。
【００６２】
また、例えば、端末デバイスが、複数の上り信号に含まれる情報のタイプに応じて、複数の上り信号の優先度情報を決定する場合、物理上り制御チャネル(  Ｐｈｙｓｉｃａｌ  Ｕｐｌｉｎｋ  Ｃｏｎｔｒｏｌ  Ｃｈａｎｎｅｌ、ＰＵＣＣＨ )の優先度は、ＰＵＳＣＨより高く、ＰＵＣＣＨの優先度はＳＲＳより高く、ＰＵＣＣＨの優先度は、位相トラッキング参照信号( Ｐｈａｓｅ Ｔｒａｃｋｉｎｇ Ｒｅｆｅｒｅｎｃｅ Ｓｉｇｎａｌ、ＰＴＲＳ )より高く、ＰＴＲＳの優先度は、ＳＲＳより高く、ＰＵＳＣＨの優先度は、ＳＲＳより高く、アクノリッジメント( Ａｃｋｎｏｗｌｅｄｇｅｍｅｎｔ、ＡＣＫ ) ／否定アクノリッジメント( Ｎｅｇａｔｉｖｅ Ａｃｋｎｏｗｌｅｄｇｅｍｅｎｔ、ＮＡＣＫ )情報を搬送するＰＵＣＣＨの優先度は、チャネル状態情報( Ｃｈａｎｎｅｌ Ｓｔａｔｅ Ｉｎｆｏｒｍａｔｉｏｎ、ＣＳＩ )を搬送するＰＵＣＣＨより高いという規則に基づくことができる。
【００６３】
ＵＣＩが含まれないＰＵＳＣＨよりも、上り制御情報( Ｕｐｌｉｎｋ Ｃｏｎｔｒｏｌ Ｉｎｆｏｒｍａｔｉｏｎ、ＵＣＩ )が含まれるＰＵＳＣＨの方が優先度が高い。又は、超高信頼超低遅延( Ｕｌｔｒａ Ｒｅｌｉａｂｌｅ Ｌｏｗ Ｌａｔｅｎｃｙ Ｃｏｍｍｕｎｉｃａｔｉｏｎ、ＵＲＬＬＣ )データが含まれるＰＵＳＣＨの優先度は、拡張モバイルブロードバンド( Ｅｎｈａｎｃｅｄ Ｍｏｂｉｌｅ Ｂｒｏａｄｂａｎｄ、ｅＭＢＢ )データが含まれるＰＵＳＣＨよりも高い。
【００６４】
また、例えば、端末デバイスが当該複数の上り信号がスケジューリングされた順番に基づいて、当該複数の上り信号の優先度情報を確定する時、複数の上り信号が複数のＤＣＩによりそれぞれスケジューリングされる場合、端末デバイスが先に受信したＤＣＩによりスケジューリングされた上り信号の優先度は、次に受信したＤＣＩによりスケジューリングされた上り信号より高い。又は、端末デバイスが次に受信したＤＣＩによりスケジューリングされた上り信号の優先度は、先に受信したＤＣＩによりスケジューリングされた上り信号よりも高い。
【００６５】
さらに、端末デバイスが複数の上り信号の優先度情報を取得した後、以下の方式で、当該複数の上り信号の優先度情報に基づいて、当該複数の上り信号の有効送信電力を確定する。
【００６６】
任意選択で、端末デバイスが当該複数の上り信号の優先度情報に基づいて、当該複数の上り信号の有効送信電力を確定することは、端末デバイスが当該複数の上り信号のためにそれぞれの最小送信電力を割り当て、端末デバイスは、サポートする最大送信電力から当該複数の上り信号の最小送信電力を減算した余剰送信電力を、当該複数の上り信号の優先度情報に従って、当該複数の上り信号の少なくとも一部の上り信号に割り当てる。
【００６７】
具体的には、端末デバイスは、複数の上りに対する最小送信電力(以下、これを最小許容送信電力と呼ぶ)を一時的に割り当てることができる。そして、端末デバイスは、サポートする最大送信電力から複数の上り信号の最小許容送信電力を減算し、余剰送信電力を割り当てる。前記端末デバイスは、前記複数の上り信号の優先度情報に応じて、前記余剰送信電力を優先度の高い順に割り当て、前記複数の上り信号のうち優先度の高い上り信号の少なくとも一部を前記送信電力に再度割り当て、前記上り信号の少なくとも一部が、前記最小許容送信電力の上で、前記最大許容送信電力に達するように、又は前記最大許容送信電力の一定割合になるように、前記電力の増加を再度行う。
【００６８】
例えば、送信すべき複数の上り信号の信号数をＮとし、各上り信号の最小送信電力をＰｍｉｎとし、端末デバイスがサポートする最大送信電力をＰｍａｘとし、Ｎ個の上り信号のうちｉ番目の上り信号の最大送信電力をＰｉ−ｍａｘとし、余剰送信電力Ｐｒ = Ｐｍａｘ-Ｎ×Ｐｍｉｎである。端末デバイスは、まず、上り信号毎にそれぞれ最小送信電力Ｐｍｉｎを割り当て、その後、端末デバイスは、余剰送信電力Ｐｒを、上り信号の優先順位に従って順に割り当て、このＮを３とし、複数の上り信号の信号数が３であり、信号１、信号２、信号３であり、余剰電力がない場合には信号１、信号２、信号３のいずれもＰｍｉｎを割り当て、その後、端末デバイスは、これら３つの信号の優先度情報を前述のように取得し、優先順位を高い方から順に信号１＞信号２＞信号３とすると、端末デバイスは、最も優先順位の高い信号１に、例えば、Ｐｍｉｎから最大送信電力Ｐ１−ｍａｘに達するまでの送信電力を、余剰送信電力Ｐｒとして優先的に最も高い優先度の信号１に割り当て、このとき、余剰送信電力Ｐｒが残っていれば、引き続き信号２に送信電力を割り当て、信号２の送信電力がＰｍｉｎからその最大送信電力Ｐ２−ｍａｘに達した後も、まだ残っていれば、引き続き信号３に送信電力を割り当てる。余剰送信電力が割り当て途中で割り当て済み、割り当て継続が不十分であれば、動作を停止する。もちろん、最終的に送信電力に割り当てられる信号の有効送信電力は、必ずしもその最大送信電力に達しない。
【００６９】
方式３
任意選択で、端末デバイスが複数の上り信号の有効送信電力を確定することは、当該複数の上り信号の予想送信電力の和が端末デバイスのサポートする最大送信電力より大きい場合、端末デバイスが当該最大送信電力と当該複数の上り信号の予想送信電力との和の比率に基づいて、当該複数の上り信号の各上り信号の予想送信電力を低減させ、低減させた各上り信号の予想送信電力を各上り信号の有効送信電力として確定することを含む。
【００７０】
具体的には、端末デバイスは、複数の上り信号の予想送信電力の和が端末デバイスがサポートする最大送信電力を超える場合に、複数の上り信号の各々の予想送信電力を一定の比率で低減させ、低減された予想送信電力を上り信号の有効送信電力とすることができる。任意選択で、この比率は、端末デバイスがサポートする最大送信電力と複数の上り信号の予想送信電力との和に応じて決定されてもよい。
【００７１】
例えば、端末デバイスがサポートする最大送信電力をＰｍａｘ、送信する複数の上り信号の信号数をＮとすると、従来の上り電力制御手順では、Ｎ個の上り信号のうちｉ番目の上り信号の予想送信電力をＰｉとした場合、複数の上り信号の予想送信電力の和が
【数２】
2020534713.tif 000004
【００７２】
であり、端末デバイスは、ｉ番目の上り信号の有効送信電力をＰｉ×(Ｐｍａｘ／Ｐａ)に低減される。
【００７３】
方式４
任意選択で、端末デバイスが複数の上り信号の有効送信電力を確定することは、端末デバイスがネットワークにより送信された指示情報を受信し、当該指示情報は、当該複数の上り信号に対応する電力制御パラメータを示し、端末デバイスが当該複数の上り信号に対応する電力制御パラメータに基づいて、当該複数の上り信号の有効送信電力を確定することを含む。
【００７４】
この電力制御パラメータは、例えば、開ループ電力制御パラメータ、閉ループ電力制御パラメータ、経路損失に関するパラメータ等を含むことができる。端末デバイスは、これらの予め設定された電力制御パラメータに従って各上り信号の有効送信電力を決定し、例えば、通常の上り電力制御手順に基づいて、これらの電力制御に従って、各上り信号の有効送信電力を決定する。任意選択で、前記指示情報は、ＳＲＳリソース指示情報( ＳＲＳ Ｒｅｓｏｕｒｃｅ Ｉｎｄｉｃａｔｉｏｎ、ＳＲＩ )であり、前記ネットワークデバイスは、前記ＳＲＩを介して前記端末デバイスに電力制御パラメータを指示し、前記端末デバイスは、前記電力制御パラメータに従って前記複数の上り信号の有効送信電力を決定することができる。
【００７５】
当該複数の上り信号の有効送信電力を確定した後、端末デバイスは、当該複数の上り信号の有効送信電力に基づいて、同じ周波数領域リソースセットにおいて当該複数の上り信号を同時に送信することができる。
【００７６】
任意選択で、２２０において、端末デバイスが当該複数の上り信号の有効送信電力に基づいて、同じ周波数領域リソースセットにおいて当該複数の上り信号を同時に送信することは、端末デバイスが当該複数の上り信号の有効送信電力に基づいて、当該同じ周波数領域リソースセットの異なる周波数領域リソースにおいて、当該複数の上り信号を同時に送信することを含む。
【００７７】
任意選択で、２２０において、端末デバイスが当該複数の上り信号の有効送信電力に基づいて、同じ周波数領域リソースセットにおいて当該複数の上り信号を同時に送信することは、端末デバイスが当該複数の上り信号の有効送信電力に基づいて、当該同じ周波数領域リソースセットにおいて、異なるアンテナアレイブロック（ａｎｔｅｎｎａ ｐａｎｅｌ）で当該複数の上り信号を同時に送信することを含む。
【００７８】
任意選択で、２２０において、端末デバイスが当該複数の上り信号の有効送信電力に基づいて、同じ周波数領域リソースセットにおいて当該複数の上り信号を同時に送信することは、端末デバイスが当該複数の上り信号の有効送信電力に基づいて、当該同じ周波数領域リソースセットにおいて、異なるビームで当該複数の上り信号を同時に送信することを含む。
【００７９】
なお、同時に送信される該複数の上り信号のうちの任意の２つの上り信号に使用される２つの送信ビームは、同じアンテナアレイブロックによるビームであってもよいし、異なるアンテナアレイブロックによるビームであってもよく、ここでは限定しない。
【００８０】
そして、端末デバイスは、特定の電力割り当て方式に従って、同じ周波数領域リソースセットで同時に送信される複数の上り信号のそれぞれの有効送信電力を決定し、さらに、複数の上り信号の有効送信電力に基づいて、同じ周波数領域リソースセットにおいて当該複数の上り信号を同時に送信する。このように、端末デバイスの送信電力が制限されている場合でも、端末デバイスは、本願の実施例で説明された電力割り当て方式を使用することにより、送信される複数の上り信号のそれぞれの有効送信電力を依然として再決定することにより、同じ周波数領域セット内において複数の上り信号は同時に送信される。
【００８１】
本発明の様々な実施例において、上述のプロセスの順序のサイズは、実行順序の先後を意味するものではなく、各プロセスの実行順序は、その機能及び内部ロジックにおいて決定されるべきであり、本発明の実施例のプロセスを何ら限定するものではないことを理解されたい。
【００８２】
図３は本願の実施例における端末デバイス３００のブロック図である。図３に示すように、当該端末デバイス３００は、確定ユニット３１０及び送信ユニット３２０を含む。
【００８３】
確定ユニット３１０は、複数の上り信号の有効送信電力を確定するように構成される。
【００８４】
送信ユニット３２０は、前記確定ユニット３１０により確定された前記複数の上り信号の有効送信電力に基づいて、同じ周波数領域リソースセットにおいて前記複数の上り信号を同時に送信するように構成される。
【００８５】
そして、端末デバイスは、特定の電力割り当て方式に従って、同じ周波数領域リソースセットで同時に送信される複数の上り信号のそれぞれの有効送信電力を決定し、さらに、複数の上り信号の有効送信電力に基づいて、同じ周波数領域リソースセットにおいて当該複数の上り信号を同時に送信する。このように、端末デバイスの送信電力が制限されている場合でも、端末デバイスは、本願の実施例で説明された電力割り当て方式を使用することにより、送信される複数の上り信号のそれぞれの有効送信電力を依然として再決定することにより、同じ周波数領域セット内において複数の上り信号は同時に送信される。
【００８６】
任意選択で、前記複数の上り信号は、上りデータ又は上り参照信号を含む。
【００８７】
任意選択で、前記複数の上り信号は、同じ下り制御情報ＤＣＩによりスケジューリングされた上り信号、又は異なるＤＣＩによりそれぞれスケジューリングされた上り信号である。
【００８８】
任意選択で、前記同じ周波数領域リソースセットは、同じキャリア、同じ狭い帯域幅、同じサブバンド、又は同じ物理リソースブロックＰＲＢセットを含む。
【００８９】
任意選択で、前記確定ユニット３１０は、具体的に、前記複数の上り信号の信号数に基づいて、前記複数の上り信号の有効送信電力を確定するように構成される。
【００９０】
任意選択で、前記確定ユニット３１０は、具体的に、前記複数の上り信号の信号数に基づいて、前記複数の上り信号の各上り信号の最大許容送信電力を確定し、前記各上り信号の最大許容送信電力に基づいて、前記各上り信号の有効送信電力を確定するように構成される。
【００９１】
任意選択で、前記確定ユニット３１０は、具体的に、前記信号数に対応する比率に基づいて、前記複数の上り信号の各上り信号の予想送信電力を低減させ、低減させた前記各上り信号の予想送信電力を前記各上り信号の有効送信電力として確定するように構成される。
【００９２】
任意選択で、前記確定ユニット３１０は、具体的に、前記複数の上り信号の優先度情報に基づいて、前記複数の上り信号の有効送信電力を確定するように構成される。
【００９３】
任意選択で、前記確定ユニット３１０は、さらに、前記複数の上り信号の信号タイプ、前記複数の上り信号をスケジューリングための制御シグナリング、前記複数の上り信号に含まれる情報のタイプ、及び前記複数の上り信号がスケジューリングされた順番のうちの少なくとも１つに基づいて、前記複数の上り信号の優先度情報を確定するように構成される。
【００９４】
任意選択で、前記端末デバイスは、さらに、受信ユニットを含み、前記確定ユニット３１０は、具体的に、前記受信ユニットで前記複数の上り信号をスケジューリングするための複数のＤＣＩを受信し、前記複数のＤＣＩに前記複数の上り信号の優先度情報が含まれ、又は、前記受信ユニットで前記複数のＤＣＩを受信し、前記複数のＤＣＩに含まれる変調符号化方式ＭＣＳの情報に基づいて、前記複数の上り信号の優先度情報を確定するように構成される。
【００９５】
任意選択で、前記確定ユニット３１０は、具体的に、前記複数の上り信号のためにそれぞれの最小送信電力を割り当て、サポートする最大送信電力から前記複数の上り信号の最小送信電力を減算した余剰送信電力を、前記複数の上り信号の優先度情報に従って、前記複数の上り信号の少なくとも一部の上り信号に割り当てるように構成される。
【００９６】
任意選択で、前記複数の上り信号の優先度情報は、前記ネットワークが前記複数の上り信号のために予め構成される。
【００９７】
任意選択で、前記確定ユニット３１０は、具体的に、前記複数の上り信号の予想送信電力の和が前記端末デバイスのサポートする最大送信電力より大きい場合、前記最大送信電力と前記複数の上り信号の予想送信電力の和との比率に基づいて、前記複数の上り信号の各上り信号の予想送信電力を低減させ、低減させた前記各上り信号の予想送信電力を前記各上り信号の有効送信電力として確定するように構成される。
【００９８】
任意選択で、前記端末デバイスは、さらに、受信ユニットを含み、前記確定ユニット３１０は、具体的に、前記受信ユニットでネットワークにより送信された指示情報を受信し、前記指示情報は、前記複数の上り信号に対応する電力制御パラメータを示し、前記複数の上り信号に対応する電力制御パラメータに基づいて、前記複数の上り信号の有効送信電力を確定するように構成される。
【００９９】
任意選択で、前記送信ユニット３２０は、具体的に、前記複数の上り信号の有効送信電力に基づいて、前記同じ周波数領域リソースセットにおいて異なる周波数領域リソースにおいて、前記複数の上り信号を同時に送信するように構成される。
【０１００】
任意選択で、前記送信ユニット３２０は、具体的に、前記複数の上り信号の有効送信電力に基づいて、前記同じ周波数領域リソースセットにおいて、異なるアンテナアレイブロックで前記複数の上り信号を同時に送信するように構成される。
【０１０１】
任意選択で、前記送信ユニット３２０は、具体的に、前記複数の上り信号の有効送信電力に基づいて、前記同じ周波数領域リソースセットにおいて、異なるビームで前記複数の上り信号を同時に送信するように構成される。
【０１０２】
図４は、本出願の一実施例による端末デバイス４００の概略構造図である。 図４に示すように、端末デバイスは、プロセッサ４１０、送受信機４２０、およびメモリ４３０を含み、プロセッサ４１０、送受信機４２０、およびメモリ４３０は、内部接続経路を介して互いに通信する。 メモリ４３０は、命令を格納するように構成され、プロセッサ４１０は、メモリ４３０に格納された命令を実行して、送受信機４２０を制御して信号を受信または送信するように構成される。 プロセッサ４１０は、
複数の上り信号の有効送信電力を確定する。
【０１０３】
送受信機４２０は、複数の上り信号の有効送信電力に基づいて、同じ周波数領域リソースセットで複数の上り信号を同時に送信するように構成される。
【０１０４】
そして、端末デバイスは、特定の電力割り当て方式に従って、同じ周波数領域リソースセットで同時に送信される複数の上り信号のそれぞれの有効送信電力を決定し、さらに、複数の上り信号の有効送信電力に基づいて、同じ周波数領域リソースセットにおいて当該複数の上り信号を同時に送信する。このように、端末デバイスの送信電力が制限されている場合でも、端末デバイスは、本出願の実施例で説明された電力割り当て方式を使用することにより、送信される複数の上り信号のそれぞれの有効送信電力を依然として再決定することにより、同じ周波数領域セット内において複数の上り信号は同時に送信される。
【０１０５】
任意選択で、前記複数の上り信号は、上りデータ又は上り参照信号を含む。
【０１０６】
任意選択で、前記複数の上り信号は、同じ下り制御情報ＤＣＩによりスケジューリングされた上り信号、又は異なるＤＣＩによりそれぞれスケジューリングされた上り信号である。
【０１０７】
任意選択で、前記同じ周波数領域リソースセットは、同じキャリア、同じ狭い帯域幅、同じサブバンド、又は同じ物理リソースブロックＰＲＢセットを含む。
【０１０８】
任意選択で、前記プロセッサ４１０は、具体的に、前記複数の上り信号の信号数に基づいて、前記複数の上り信号の有効送信電力を確定するように構成される。
【０１０９】
任意選択で、前記プロセッサ４１０は、具体的に、前記複数の上り信号の信号数に基づいて、前記複数の上り信号の各上り信号の最大許容送信電力を確定し、前記各上り信号の最大許容送信電力に基づいて、前記各上り信号の有効送信電力を確定するように構成される。
【０１１０】
任意選択で、前記プロセッサ４１０は、具体的に、前記信号数に対応する比率に基づいて、前記複数の上り信号の各上り信号の予想送信電力を低減させ、低減させた前記各上り信号の予想送信電力を前記各上り信号の有効送信電力として確定するように構成される。
【０１１１】
任意選択で、前記プロセッサ４１０は、具体的に、前記複数の上り信号の優先度情報に基づいて、前記複数の上り信号の有効送信電力を確定するように構成される。
【０１１２】
任意選択で、前記プロセッサ４１０は、さらに、前記複数の上り信号の信号タイプ、前記複数の上り信号をスケジューリングするための制御シグナリング、前記複数の上り信号に含まれる情報のタイプ、及び前記複数の上り信号がスケジューリングされた順番のうちの少なくとも１つに基づいて、前記複数の上り信号の優先度情報を確定するように構成される。
【０１１３】
任意選択で、前記プロセッサ４１０は、具体的に、前記送受信機４２０で前記複数の上り信号をスケジューリングするための複数のＤＣＩを受信し、前記複数のＤＣＩに前記複数の上り信号の優先度情報が含まれ、又は、前記送受信機４２０で前記複数のＤＣＩを受信し、前記複数のＤＣＩに含まれる変調符号化方式ＭＣＳの情報に基づいて、前記複数の上り信号の優先度情報を確定するように構成される。
【０１１４】
任意選択で、前記プロセッサ４１０は、具体的に、前記複数の上り信号のためにそれぞれの最小送信電力を割り当て、サポートする最大送信電力から前記複数の上り信号の最小送信電力を減算した余剰送信電力を、前記複数の上り信号の優先度情報に従って、前記複数の上り信号の少なくとも一部の上り信号を割り当てるように構成される。
【０１１５】
任意選択で、前記複数の上り信号の優先度情報は、前記ネットワークが前記複数の上り信号のために予め構成される。
【０１１６】
任意選択で、前記プロセッサ４１０は、具体的に、前記複数の上り信号の予想送信電力の和が前記端末デバイスのサポートする最大送信電力より大きい場合、前記最大送信電力と前記複数の上り信号の予想送信電力の和との比率に基づいて、前記複数の上り信号の各上り信号の予想送信電力を低減させ、低減させた前記各上り信号の予想送信電力を前記各上り信号の有効送信電力として確定するように構成される。
【０１１７】
任意選択で、前記プロセッサ４１０は、具体的に、前記送受信機４２０でネットワークにより送信された指示情報を受信し、前記指示情報は、前記複数の上り信号に対応する電力制御パラメータを示し、前記複数の上り信号に対応する電力制御パラメータに基づいて、前記複数の上り信号の有効送信電力を確定するように構成される。
【０１１８】
任意選択で、前記送受信機４２０は、具体的に、前記複数の上り信号の有効送信電力に基づいて、前記同じ周波数領域リソースセットの異なる周波数領域リソースにおいて、前記複数の上り信号を同時に送信するように構成される。
【０１１９】
任意選択で、前記送受信機４２０は、具体的に、前記複数の上り信号の有効送信電力に基づいて、前記同じ周波数領域リソースセットにおいて、異なるアンテナアレイブロックで前記複数の上り信号を同時に送信するように構成される。
【０１２０】
任意選択で、前記送受信機４２０は、具体的に、前記複数の上り信号の有効送信電力に基づいて、前記同じ周波数領域リソースセットにおいて、異なるビームで前記複数の上り信号を同時に送信するように構成される。
【０１２１】
本願の実施例では、プロセッサ４１０は中央処理装置（ＣＰＵ）であってもよく、プロセッサ４１０は他の汎用プロセッサ、デジタル信号プロセッサ（ＤＳＰ）、特定用途向け集積回路（ＡＳＩＣ）、プログラマブルゲートアレイ（ＦＰＧＡ）またはその他のプログラマブルロジックデバイス、個別のゲートまたはトランジスタロジックデバイス、個別のハードウェアコンポーネント、汎用プロセッサは、マイクロプロセッサまたはプロセッサまたは任意の従来のプロセッサなどであってもよい。
【０１２２】
メモリ４３０は、読み取り専用メモリおよびランダムアクセスメモリを含むことができ、命令およびデータをプロセッサ４１０に提供する。メモリ４３０の一部は、不揮発性ランダムアクセスメモリも含み得る。
【０１２３】
実行プロセスにおいて、前述の方法の各ステップは、プロセッサ４１０内のハードウェアの統合論理回路、またはソフトウェアの形の命令によって完了することができる。本願の実施例で開示される測位方法のステップは、ハードウェアプロセッサによって直接実装されてもよく、またはプロセッサ４１０内のハードウェアおよびソフトウェアモジュールの組み合わせによって実行されてもよい。 ソフトウェアモジュールは、ランダムアクセスメモリ、フラッシュメモリ、読み取り専用メモリ、プログラマブル読み取り専用メモリまたは電気的に消去可能なプログラマブルメモリ、レジスタなどの従来の記憶媒体に配置することができます。記憶媒体はメモリ４３０に配置され、プロセッサ４１０はメモリ４３０の情報を読み取り、そのハードウェアと組み合わせて上記の方法のステップを実行する。ここで説明を省略する。
【０１２４】
本願の実施例に係る端末デバイス４００は、前述の方法２００の方法２００を実行する端末デバイス、および本願の実施例に係る端末デバイス３００に対応し、端末デバイス４００の各ユニットまたはモジュールは、 上記方法２００で端末デバイスが実行する動作または処理は実行されるが、ここでは、重複を避けるために、詳細な説明は省略する。
【０１２５】
図５は、本発明の実施例におけるシステムチップの概略構成図である。図５のシステムチップ５００は、入力インターフェース５０１、出力インターフェース５０２、少なくとも１つのプロセッサ５０３、及びメモリ５０４を含み、前記入力インターフェース５０１、出力インターフェース５０２、前記プロセッサ５０３、及びメモリ５０４の間は、内部接続経路によって互いに接続される。プロセッサ５０３は、メモリ５０４内のコードを実行するために使用される。
【０１２６】
任意選択で、コードが実行されると、プロセッサ５０３は、方法の実施例において端末デバイスによって実行される方法２００を実施することができる。 簡潔にするために、ここで説明を省略する。
【０１２７】
本明細書に開示される実施例に関連して説明される様々な例の要素およびアルゴリズムステップは、電子ハードウェアまたはコンピュータソフトウェアと電子ハードウェアの組み合わせで実装できることを当業者は理解するであろう。これらの機能がハードウェアで実行されるかソフトウェアで実行されるかは、特定のアプリケーションとソリューションの設計上の制約に依存する。当業者は、特定のアプリケーションごとに説明された機能を実装するために異なる方法を使用することができるが、そのような実装は本願の範囲を超えると見なされるべきではない。
【０１２８】
当業者は、説明の便宜上および簡潔さのために、上記のシステム、デバイス、およびユニットの特定の作業プロセスは、前述の方法の実施例の対応するプロセスを参照できることを明確に理解でき、ここで説明を省略する。
【０１２９】
本願によって提供されるいくつかの実施例では、開示されたシステム、デバイス、および方法は、他の方法で実装され得ることを理解されたい。たとえば、上記のデバイスの実施例は単なる例示であり、たとえば、ユニットの分割は論理機能の分割にすぎない。実際の実装では、たとえば、複数のユニットまたはコンポーネントを組み合わせたり、別のシステムに統合するか、一部の機能を無視するか実行しないことができます。加えて、図示または議論される相互結合または直接結合または通信接続は、何らかのインターフェース、デバイスまたはユニットを介した間接結合または通信接続であり得、電気的、機械的または他の形態であり得る。
【０１３０】
個別のコンポーネントとして説明されるユニットは、物理的に分離される場合とされない場合があり、ユニットとして表示されるコンポーネントは、物理ユニットである場合とそうでない場合がある。ユニットのいくつかまたはすべては、実施例の解決策の目的を達成するための実際のニーズに従って選択されてもよい。
【０１３１】
さらに、本願の各実施例における各機能ユニットは、１つの処理ユニットに統合されてもよく、各ユニットは物理的に別々に存在してもよく、または２つ以上のユニットが１つのユニットに統合されてもよい。
【０１３２】
この機能は、ソフトウェア機能ユニットとして実装され、スタンドアロン製品として販売または使用される場合、コンピューターで読み取り可能な記憶媒体に保存できます。そのような理解に基づいて、先行技術に不可欠または貢献する本願の技術的解決策、または技術的解決策の一部は、以下を含む記憶媒体に格納されるソフトウェア製品の形で具現化され得る。命令は、本願の様々な実施例の方法のステップの全部または一部を実行するコンピューターデバイス（パーソナルコンピューター、サーバー、またはネットワークデバイスなどであってもよい）に使用される。前述の記憶媒体には、Ｕディスク、モバイルハードディスク、読み取り専用メモリ（ＲＯＭ）、ランダムアクセスメモリ（ＲＡＭ）、ディスク、または光ディスクが含まれる。プログラムコードを保存できる媒体。
【０１３３】
上記は本願の特定の実施例に過ぎないが、本願の実施例の保護の範囲はそれに限定されず、当業者は本願の実施例に開示された技術的範囲内で変更または置換を容易に考えることができる。個人的な利益のためにこのアプリケーションの保護の範囲でカバーされるべきです。したがって、本願の実施例の保護範囲は、特許請求の範囲の保護範囲によって確定されるべきである。
【図１】
2020534713.tif 000005
【図２】
2020534713.tif 000006
【図３】
2020534713.tif 000007
【図４】
2020534713.tif 000008
【図５】
2020534713.tif 000009
【手続補正書】
【提出日】令和2年7月17日(2020.7.17)
【手続補正１】
【補正対象書類名】特許請求の範囲
【補正対象項目名】全文
【補正方法】変更
【補正の内容】
【特許請求の範囲】
【請求項１】
端末デバイスが複数の上り信号の有効送信電力を確定することと、
前記端末デバイスが前記複数の上り信号の有効送信電力に基づいて、同じ周波数領域リソースセットにおいて前記複数の上り信号を同時に送信することとを含む
ことを特徴とする信号伝送方法。
【請求項２】
前記複数の上り信号は、同じ下り制御情報ＤＣＩによりスケジューリングされた上り信号、又は異なるＤＣＩによりそれぞれスケジューリングされた上り信号である
ことを特徴とする請求項１に記載の信号伝送方法。
【請求項３】
前記端末デバイスが複数の上り信号の有効送信電力を確定することは、
前記端末デバイスが前記複数の上り信号の信号数に基づいて、前記複数の上り信号の有効送信電力を確定することを含む
ことを特徴とする請求項１又は２に記載の信号伝送方法。
【請求項４】
前記端末デバイスが前記複数の上り信号の信号数に基づいて、前記複数の上り信号の有効送信電力を確定することは、
前記端末デバイスが前記複数の上り信号の信号数に基づいて、前記複数の上り信号の各上り信号の最大許容送信電力を確定することと、
前記端末デバイスが前記各上り信号の最大許容送信電力に基づいて、前記各上り信号の有効送信電力を確定することとを含む
ことを特徴とする請求項３に記載の信号伝送方法。
【請求項５】
前記端末デバイスが前記複数の上り信号の信号数に基づいて、前記複数の上り信号の有効送信電力を確定することは、
前記端末デバイスが前記信号数に対応する比率に基づいて、前記複数の上り信号の各上り信号の予想送信電力を低減させ、低減させた前記各上り信号の予想送信電力を前記各上り信号の有効送信電力として確定することを含む
ことを特徴とする請求項３に記載の信号伝送方法。
【請求項６】
前記端末デバイスが複数の上り信号の有効送信電力を確定することは、
前記端末デバイスが前記複数の上り信号の優先度情報に基づいて、前記複数の上り信号の有効送信電力を確定することを含む
ことを特徴とする請求項１又は２に記載の信号伝送方法。
【請求項７】
前記端末デバイスが前記複数の上り信号の優先度情報に基づいて、前記複数の送信功率を確定する前に、前記方法は、さらに、
前記端末デバイスが前記複数の上り信号の信号タイプ、前記複数の上り信号をスケジューリングするための制御シグナリング、前記複数の上り信号に含まれる情報のタイプ、及び前記複数の上り信号のスケジューリングの順番のうちの少なくとも１つに基づいて、前記複数の上り信号の優先度情報を確定することを含む
ことを特徴とする請求項６に記載の信号伝送方法。
【請求項８】
前記端末デバイスが複数の上り信号の有効送信電力を確定することは、
前記複数の上り信号の予想送信電力の和が前記端末デバイスのサポートする最大送信電力を超える場合、前記端末デバイスが前記最大送信電力と前記複数の上り信号の予想送信電力の和との比率に基づいて、前記複数の上り信号の各上り信号的予想送信電力を低減させ、低減された前記各上り信号の予想送信電力を前記各上り信号の有効送信電力として確定することを含む
ことを特徴とする請求項１又は２項に記載の信号伝送方法。
【請求項９】
複数の上り信号の有効送信電力を確定するように構成される確定ユニットと、
前記確定ユニットにより確定された前記複数の上り信号の有効送信電力に基づいて、同じ周波数領域リソースセットにおいて前記複数の上り信号を同時に送信するように構成される送信ユニットとを含む
ことを特徴とする端末デバイス。
【請求項１０】
前記複数の上り信号は、同じ下り制御情報ＤＣＩによりスケジューリングされた上り信号、又は異なるＤＣＩによりそれぞれスケジューリングされた上り信号である
ことを特徴とする請求項９に記載の端末デバイス。
【請求項１１】
前記確定ユニットは、
前記複数の上り信号の信号数に基づいて、前記複数の上り信号の有効送信電力を確定するように構成される
ことを特徴とする請求項９又は１０に記載の端末デバイス。
【請求項１２】
前記確定ユニットは、
前記複数の上り信号の信号数に基づいて、前記複数の上り信号の各上り信号の最大許容送信電力を確定し、
前記各上り信号の最大許容送信電力に基づいて、前記各上り信号の有効送信電力を確定するように構成される
ことを特徴とする請求項１１に記載の端末デバイス。
【請求項１３】
前記確定ユニットは、
前記信号数に対応する比率に基づいて、前記複数の上り信号の各上り信号の予想送信電力を低減させ、低減させた前記各上り信号の予想送信電力を前記各上り信号の有効送信電力として確定するように構成される
ことを特徴とする請求項１１に記載の端末デバイス。
【請求項１４】
前記確定ユニットは、
前記複数の上り信号の優先度情報に基づいて、前記複数の上り信号の有効送信電力を確定するように構成される
ことを特徴とする請求項９又は１０に記載の端末デバイス。
【請求項１５】
前記確定ユニットは、さらに、
前記複数の上り信号の信号タイプ、前記複数の上り信号をスケジューリングするための制御シグナリング、前記複数の上り信号に含まれる情報のタイプ、及び前記複数の上り信号のスケジューリングの順番のうちの少なくとも１つに基づいて、前記複数の上り信号の優先度情報を確定するように構成される
ことを特徴とする請求項１４に記載の端末デバイス。
【請求項１６】
前記確定ユニットは、
前記複数の上り信号の予想送信電力の和が前記端末デバイスのサポートする最大送信電力を超える場合、前記最大送信電力と前記複数の上り信号の予想送信電力の和との比率に基づいて、前記複数の上り信号の各上り信号の予想送信電力を低減させ、低減させた前記各上り信号の予想送信電力を前記各上り信号の有効送信電力として確定するように構成される
ことを特徴とする請求項９又は１０に記載の端末デバイス。
【国際調査報告】
2020534713.tif 000010
2020534713.tif 000011
2020534713.tif 000012
2020534713.tif 000013